(57)【要約】【課題】  複雑形状の部品の絡みを取り、定位置に供給することで、作業工数を削減することができる複雑形状部品絡み取り装置を提供することを目的とする。【解決手段】  絡み合った部品１００を部品収納筒２０２へ収納し、絡み取り装置本体２０１へ取りつける。スイッチ２０５を押下し、部品収納筒２０２へ接続しているモータ２０６を稼働させ、部品収納筒２０２を回転駆動させる。絡み合った部品１００は、部品収納筒２０２内部で部品同士の衝突し、絡み合った部品が個別化され、穴２０３から排出され、ガイド２０７によって定位置に供給される。【選択図】  図１
2005255312.tif 000002
【特許請求の範囲】
【請求項１】
絡み合った複雑形状の部品を個別化して供給する装置であって、
蓋を備え、部品１個分を排出できる大きさの穴を有し、部品を収納する部品収納筒と、
前記部品収納筒に接続され、該部品収納筒を回転駆動させるモータと、
前記モータによる前記部品収納筒の回転を調整する調整手段と、
排出された前記部品を所定位置まで、搬送する搬送手段とを有し、
絡み合った部品を前記部品収納筒に収納し、該部品収納筒を前記モータによって回転駆動させることにより、前記部品収納筒内部で前記部品同士が衝突することで、絡み合った部品の絡みが取れ、前記穴から個別化された部品が排出されることを特徴とする複雑形状部品絡み取り装置。
【請求項２】
前記部品収納筒は、内壁面の軸方向にわたって複数の棒状の部材が取り付けられており、前記絡み合った部品同士の衝突もしくは前記絡み合った部品が前記複数の棒状の部材に衝突することで部品を個別化できることを特徴とする請求項１記載の複雑形状部品絡み取り装置。
【請求項３】
前記複数の棒状の部材は、断面の形状が円形、多角形もしくは板状であることを特徴とする請求項２記載の複雑形状部品絡み取り装置。
【請求項４】
前記調整手段は、前記モータの回転時間を調整することで、前記穴から前記個別化された部品の一定時間内における排出個数を調整することができることを特徴とする請求項１記載の複雑形状部品絡み取り装置。
【請求項５】
前記搬送手段は、前記個別化された部品を滑走させるために滑り台形状であることを特徴とする請求項１記載の複雑形状部品絡み取り装置。
【請求項６】
前記穴は、前記部品収納筒の側面部に１つないし複数設けられていることを特徴とする請求項１記載の複雑形状部品絡み取り装置。
【発明の詳細な説明】
【技術分野】
【０００１】
本発明は、絡み合った部品を個別化する装置に関し、特に、複雑形状の部品の絡みをとる複雑形状部品絡み取り装置に関する。
【背景技術】
【０００２】
従来、図４（ａ）に示すような金具部品は、製造工場で所定の個数づつケースに入れられた状態で、図４（ｂ）に示すように金具部品同士が絡んでいることが多い。従って、図５に示すように手作業で製品への組み付け時に、金具部品の絡みを解くといった作業が生じてしまう。
【０００３】
このような問題を解決するための従来の技術として、特許文献１に示すように金具部品を収納するタンクと絡まった金具部品をケーシング壁に対して相対的に運動する２つの解きほぐし装置と、個別化された金具部品を排出する排出部を備え、絡まった金具部品を個別化する装置がある。
【特許文献１】特開昭５７−８５７１８号公報
【発明の開示】
【発明が解決しようとする課題】
【０００４】
しかしながら、上記に示すような装置は複雑な構成であり、装置自体が大型になってしまうことから、コストが非常にかかり、装置を設置するスペースもある程度の広さを必要とするといった問題が発生する。
【０００５】
本発明は係る問題に鑑みてなされたものであり、複雑形状の部品の絡みを取り、定位置に供給することで、作業工数を削減することができる複雑形状部品絡み取り装置を提供することを目的とする。
【課題を解決するための手段】
【０００６】
上記目的を達成するために、請求項１記載の複雑形状部品絡み取り装置は、絡み合った複雑形状の部品を個別化して供給する装置であって、蓋を備え、部品１個分を排出できる大きさの穴を有し、部品を収納する部品収納筒と、部品収納筒に接続され、該部品収納筒を回転駆動させるモータと、モータによる部品収納筒の回転を調整する調整手段と、排出された部品を所定位置まで、搬送する搬送手段とを有し、絡み合った部品を部品収納筒に収納し、該部品収納筒をモータによって回転駆動させることにより、部品収納筒内部で部品同士が衝突することで、絡み合った部品の絡みが取れ、穴から個別化された部品が排出されることを特徴とする。
【０００７】
請求項２記載の発明は、請求項１記載の複雑形状部品絡み取り装置であって、部品収納筒は、内壁面の軸方向にわたって複数の棒状の部材が取り付けられており、絡み合った部品同士の衝突もしくは絡み合った部品が複数の棒状の部材に衝突することで部品を個別化できることを特徴とする。
【０００８】
請求項３記載の発明は、請求項２記載の複雑形状部品絡み取り装置であって、複数の棒状の部材は、断面の形状が円形、多角形もしくは板状であることを特徴とする。
【０００９】
請求項４記載の発明は、請求項１記載の複雑形状部品絡み取り装置であって、調整手段は、モータの回転時間を調整することで、穴から個別化された部品の一定時間内における排出個数を調整することができることを特徴とする。
【００１０】
請求項５記載の発明は、請求項１記載の複雑形状部品絡み取り装置であって、搬送手段は、個別化された部品を滑走させるために滑り台形状であることを特徴とする。
【００１１】
請求項６記載の発明は、請求項１記載の複雑形状部品絡み取り装置であって、穴は、部品収納筒の側面部に１つないし複数設けられていることを特徴とする。
【発明の効果】
【００１２】
以上の説明から、本発明の複雑形状部品絡み取り装置によれば、従来のような手作業で部品の絡みを取る作業を撤廃することで、作業工数の削減ができ、部品を定位置に供給することで、作業リズムの改善を図ることができる。
【発明を実施するための最良の形態】
【００１３】
次に、添付図面を参照して本発明の実施形態を説明する。
まず、図１を参照して、本発明の絡み取り装置の構成を説明する。
絡み取り装置２００は、絡み取り装置本体２０１と取り外し可能で部品を収納する部品収納筒２０２、部品収納筒２０２を駆動させるモータ２０６、モータ２０６をスタート／ストップさせるスイッチ２０５、モータ２０６の回転時間を調整する回転時間調整ボリューム２０８と回転時間の停止を調整する回転時間調整ボリューム２０９が設けられたコントローラ２０８、ガイド２０７から構成されている。
【００１４】
部品収納筒２０２には、蓋２０４が設けられており部品を収納する際に取り外し、部品を部品収納筒２０２の中に入れることができる。さらに、部品収納筒２０２の側面の中央部に部品１個分を排出することができる大きさの穴２０３が１つ設けられている。
また、穴は、１つもしくは複数設けても良い。
【００１５】
次に図２を参照して、部品収納筒２０２の構成を説明する。
図２（ａ）は、部品収納筒２０２の内部構造を示し、図２（ｂ）は、図２（ａ）に示すＡＡ’における断面を示した図である。図２（ａ）、（ｂ）に示すように、部品収納筒２０２内には、筒の内壁面に円柱２１０が設けられている。また、図３に示すように必ずしも円柱ではなくてもよく、図３（ａ）のような断面が三角形のものや、図３（ｂ）のように四角形、図３（ｃ）のように板状のものでもよい。
【００１６】
次に、動作について説明する。
まず、絡み合った部品１００を部品収納筒２０２へ収納する。部品１００を収納した部品収納筒２０２を絡み取り装置本体２０１へ取り付ける。部品収納筒２０２は、絡み取り装置本体２０１へ取り付けることでモータ２０６に接続される。モータ２０６を駆動させるスイッチ２０５を押下することでモータ２０６が駆動し部品収納筒２０２が回転する。
【００１７】
部品収納筒２０２が回転すると、図２（ｂ）に示す部品収納筒２０２の内部では、絡み合った部品１００が部品収納筒２０２の回転と共に回転し、絡まった部品が筒の内壁や内壁面に設置されている円柱２１０に衝突して、絡み合った部品１００が離反する。離反して一つになった部品は、部品収納筒２０２の穴２０３から排出され、ガイド２０７へ落ちる。ガイド２０７は滑り台形状になっており、ガイド２０７へ落ちた部品１００は、定位置に誘導される。
【図面の簡単な説明】
【００１８】
【図１】本発明の実施形態における絡み取り装置の構成を示した図である。
【図２】本発明の実施形態における部品収納筒の構成を示した図である。
【図３】本発明の実施形態における部品収納筒内部に設けられた部材の変形例を示した図である。
【図４】部品及び絡み合った部品を示した図である。
【図５】従来の絡み合った部品の絡みを取る作業を示した図である。
【符号の説明】
【００１９】
２００    絡み取り装置
２０１    絡み取り装置本体
２０２    部品収納筒
２０３    穴
２０４    蓋
２０５    スイッチ
２０６    モータ
２０７    ガイド
２０８    コントローラ
２０９    回転時間調整ボリューム
２１０    円柱
【図１】
2005255312.tif 000003
【図２】
2005255312.tif 000004
【図３】
2005255312.tif 000005
【図４】
2005255312.tif 000006
【図５】
2005255312.tif 000007